(57)【要約】【課題】  ノートパソコン等の発熱機器とこの発熱機器を設置する面との間に冷却用通風路を形成することができる通風隙間形成用シートを提供できるようにすることにより、既存の発熱機器にも冷却を良好に行なえるようにすることを目的とする。【解決手段】  発熱機器とこれを設置する部分との間に設けられる通風隙間形成用シートであって、当該シート表面の少なくとも発熱機器側の面及び／又はシートの側面に通気口を設けるとともに、シートの内方に前記通気口につながる通気路を形成した。【選択図】図２
2007065851.tif 000002
【特許請求の範囲】
【請求項１】
発熱機器とこれを設置する部分との間に設けられるシートであって、通風隙間形成用シートの上面部と下面部のうち、少なくとも発熱機器側となる面及び／又はシートの側面に通気口を設けるとともに、シートの内方に前記通気口につながる通風路を形成したことを特徴とする通風隙間形成用シート。
【請求項２】
発熱機器が、底面側に吸気口若しくは排気口が設けられたノートパソコンである請求項１に記載の通風隙間形成用シート。
【請求項３】
シートの上面部と下面部の少なくとも一方を網目状にし、可撓性を有する合成樹脂繊維からなる支柱糸でシートの上面部と下面部とが離間する状態で連結することにより、網目を通気口にするとともに上下両面部間の支柱糸部分の隙間で通風路を形成したことを特徴とする請求項１に記載の通風隙間形成用シート。
【請求項４】
シートの使用時に下面となる部分をすべり止め部材で形成し／又はシートの使用時に下面となる部分に滑り止め加工を施したことを特徴とする請求項１又は請求項２に記載の通風隙間形成用シート。
【請求項５】
シートの内方に波形シートを配設し、当該波形シートの空間部分で通風路が形成されていることを特徴とする請求項１乃至請求項３の何れか１項に記載の通風隙間形成用シート。
【請求項６】
シートが連続発泡樹脂で形成され、連続するラビリンス状の発泡空間で通風路を形成したことを特徴とする通風隙間形成用シート。
【請求項７】
発熱機器がノートパソコンであって、ノートパソコンとこれを設置する部分との間に設けられる通風隙間形成用シートにマウスパッド収納部を設けたことを特徴とする請求項１乃至請求項５の何れか１項に記載の通風隙間形成用シート。
【発明の詳細な説明】
【技術分野】
【０００１】
本発明は、例えばノート型パーソナルコンピュータ（ノートパソコン）のような発熱機器の通風隙間形成用シートに関するものである。
【背景技術】
【０００２】
パソコンはその使用中に演算機能を発揮するＣＰＵや記憶装置のハードディスク、電源部分等が発熱し、この発熱を使用可能な温度範囲まで冷却する必要がある。
この電源部の発熱や、ＣＰＵが高性能になったり、ハードディスクの記録密度が高くなり回転速度が速くなればそれに伴って発熱量が増加する。
そこでこれらの冷却のために、液冷式やヒートパイプ式の冷却方式でＣＰＵ等を直接冷却するものが知られている。
【０００３】
こうしたＣＰＵ等を液冷式やヒートパイプ式の冷却方式で直接冷却するものでは構造が複雑化してしまい、可搬性を特徴とするノートパソコン等では大型化が避けられないという問題があるうえ、既存のノートパソコンには実施することが難しいという問題がある。
しかも、液冷式やヒートパイプ式の冷却方式でＣＰＵ等を冷却することにより吸収された熱はパソコンの筐体外に放散しなくてはならず、この熱の放散にはファンによる通風冷却が一般的に行なわれているが、通風冷却が良好に行なわれるには十分な通風路が確保されなくてはならない。
そのためにノートパソコン等では底面部分に滑り止めを兼ねた脚部が４隅部分に突出されており、ノートパソコンの底面とこれを設置する面との間に通風を兼ねた隙間を設けて断熱と冷却するようにしている。
【０００４】
ところが、ノートパソコン使用後の机の上面が使用時のノートパソコンからの輻射熱等で熱くなっていることからも明らかなように、ノートパソコン等の底面部分に設けられる滑り止めを兼ねた脚部はその高さが低いことから、ノートパソコンとこれを設置する例え
ば机のテーブル面との間が近接しており、上記隙間が十分に確保できないという問題があった。
【０００５】
そこで、ノートパソコンとこれを設置する部分にハニカム状のスペーサを介在させるようにしたものが提案されている（特許文献１）。
しかしながら、ハニカム状のスペーサは六角形状の独立した個室の集合であることから、単にノートパソコンを上方に持ち上げる効果しかなく、通風路を形成するには逆に六角形状の独立した個室を形成する側壁部分が通風を妨げ、熱をこもらせる結果になってしまうという問題がある。
【特許文献１】特開２００２−３６６２６１号公報
【発明の開示】
【発明が解決しようとする課題】
【０００６】
本発明では、ノートパソコン等の発熱機器とこの発熱機器を設置する面との間に冷却用通風路を形成することができる通風隙間形成用シートを提供できるようにすることにより、既存の発熱機器にも冷却を良好に行なえるようにすることを目的とするものである。
【課題を解決するための手段】
【０００７】
上記目的を達成するために本発明にかかる通風隙間形成用シートは、発熱機器とこれを設置する部分との間に設けられるシートであって、通風隙間形成用シートの上面部と下面部のうち、少なくとも発熱機器側となる面及び／又はシートの側面に通気口を設けるとともに、シートの内方に前記通気口につながる通風路を形成したことを最も主要な特徴とするものである。
【０００８】
本発明にかかる通風隙間形成用シートでは、発熱機器がノートパソコンであることや、シートの上面部と下面部の少なくとも一方を網目状にし、可撓性を有する合成樹脂繊維からなる支柱糸でシートの上面部と下面部とが離間する状態で連結することにより、網目を通気口にするとともに上下両面部間の支柱糸部分の隙間で通風路を形成したことも特徴とするものである。
【０００９】
また、本発明の通風隙間形成用シートでは、シートの使用時に下面となる部分をすべり止め部材で形成し／又はシートの使用時に下面となる部分に滑り止め加工を施したこと、シートの内方に波形シートを配設し、当該波形シートの空間部分で通風路が形成されていること、シートが連続発泡樹脂で形成され、連続するラビリンス状の発泡空間で通風路を形成したこと、更に、発熱機器がノートパソコンであって、ノートパソコンとこれを設置する部分との間に設けられる通風隙間形成用シートにマウスパッド収納部を設けたことも特徴とするものである。
【発明の効果】
【００１０】
本発明の通風隙間形成用シートは、シート表面の少なくとも発熱機器側の面及び／又はシートの側面に通気口を設けるとともに、シートの内方に前記通気口につながる通風路を形成してあるので、本発明の通風隙間形成用シートを発熱機器とこれを設置する部分との間に介在させるだけで、発熱機器とこれを設置する部分との間に通風路が形成される。
これにより、既存の発熱機器にも発熱機器に改造を加えることなく、簡単に通風路を形成して冷却することができる。
【００１１】
発熱機器が、ノートパソコンでは、吸気口からの冷却風の吸引若しくは排気口からの排気が良好に行なえるので、電源部の発熱や、ＣＰＵの高性能化や、ハードディスクの高記録密度化と回転の高速度化した場合でも熱がこもることがなく熱の放散性を高く維持させて対応することができる利点もある。
また、本発明の通風隙間形成用シートに例えばノートパソコンを載せると、当該シートの弾性により通風隙間形成用シートの上面がパソコンの底面全体に亘って均等に当接するので、パソコンをバランスよく支持させることができ、筐体にひずみを起こすことなく安定した状態で長時間使用することができる利点がある。
【００１２】
更に、シートの上下の少なくとも一面を網状にし、可撓性を有する合成樹脂繊維でシートの上下両面が離間する状態で連結することにより、網目を通気口にするとともに上下両面間の合成樹脂繊維部分で通風路を形成したものでは、このシートに面する吸気口若しくは排気口から漏出する発熱機器の騒音を、シートの上下両面が連結する合成樹脂繊維で減衰させて消音することができる利点もある。
【００１３】
くわえて、シートの使用時に下面となる部分をすべり止め部材で形成し／又はシートの使用時に下面となる部分に滑り止め加工を施した通風隙間形成用シートでは、放熱性能を高く維持しながらも、例えばノートパソコン等の発熱機器の固定も兼ね、発熱機器を使用する際に至便なものにすることができる利点もある。
【００１４】
また、シートの内方に波形シートを配設し、当該波形シートの空間部分で通風路が形成されているものでは、通風路の通風抵抗が少なく、断熱乃至放熱効率の高いものにすることができる利点もある。
【００１５】
シートが連続発泡樹脂で形成され、連続するラビリンス状の発泡空間で通風路を形成するようにしたものでは、通風隙間形成用シートを形成するだけで通気口及び通風路を形成することができ、簡単で安価に実施することができるとともに、シートに面する筐体の底面から漏出する発熱機器の騒音を、連続発泡で形成されるラビリンス状の通路で減衰させて消音することができる利点もある。
【００１６】
因みに、発熱機器がノートパソコンであって、ノートパソコンとこれを設置する部分との間に設けられる通風隙間形成用シートにマウスパッド収納部を設けるようにしたものでは、マウスパッドが通風隙間形成用シートに収納されるので、ノートパソコンをキャリングケースに入れて持ち運ぶ場合に、がさついたり、嵩張ったりすることがなく至便なものにすることができる利点がある。
【発明を実施するための最良の形態】
【００１７】
以下、本発明にかかる通風隙間形成用シートの最も好ましい例を図面に基づいて説明するが、本発明は以下の実施の例に限られるものではない。
【実施例１】
【００１８】
図１は通風隙間形成用シートの使用状態の分解斜視図であって、図中符号１は通風隙間形成用シートを全体的に示す。
この通風隙間形成用シート１はノートパソコン（発熱機器）２とこれを載置する机のテーブル面３との間に介在させて使用するものであって、上面部４と下面部５とこれら両面を離間させた状態で連結する無数に植立する支柱糸６とでノートパソコン２よりわずかに大きな四角形状に形成されている
【００１９】
即ち、上面部４及び下面部５は、モノフィラメント若しくはマルチフィラメントで多角形（図上六角形）の開口部（通気口７）を多数形成することにより網状に編成されており、これら両面を離間させた状態で連結する支柱糸６は、糸径が０．２５ｍｍ程度のモノフィラメント若しくは０．１５ミリ程度のモノフィラメントの複数本からなるモノマルチフィラメントで、上面部４と下面部５との間が約１ｃｍとなるように設けてある。因みに、一つの網目の大きさは約６ｍｍ×３ｍｍとなっている。
【００２０】
このように、糸径が０．２５ｍｍ程度のモノフィラメント若しくは０．１５ミリ程度の複数本からなるモノマルチフィラメントで形成された支柱糸６は曲げ弾性を有しており、この支柱糸６の曲げ弾性により、通風隙間形成用シート１の上面部４と下面部５との間のクッション性が形成され、上面部４と下面部５の網目が変形することにより通風隙間形成用シート１の屈曲性が形成されている。
そして、上記支柱糸６間の隙間で通風路６が形成されており、図２に示すようにこの通風路８は上面部４と下面部５の網目で形成される通気口７に連通する状態となっている（図２参照）。
尚、図中符号９は、通風隙間形成用シート１の端部処理用のテープである。
【００２１】
上記のように形成された通風隙間形成用シート１を使用する場合、この通風隙間形成用シート１を図１に示すようにノートパソコン２とこれを載置する机のテーブル面３との間に設けてノートパソコン２を使用する。
この時、筐体１０の下面１０aに吸気口（図示せず）が形成され、筐体の側面に排気口（図示せず）が形成されたノートパソコン２では、その吸気口の位置はノートパソコン２の各メーカーによってその開口位置が異なるが、吸気口がいずれの位置にあっても通風隙間形成用シートの通気口７に面することになる。
【００２２】
次に、ノートパソコン２の使用で発熱した電子部品等の冷却のために、筐体１０内に設けられた冷却用ファン（図示せず）が駆動されると、図２に示すように通風隙間形成用シート１のノートパソコン２の外方に位置する通気口７から外気が吸引され、支柱糸６間の隙間で形成された通風路８から筐体１０内に吸引されて発熱した電子部品等を冷却した後、排気口から筐体１０外に放出される。
この時、吸気口から漏出する筐体１０内の騒音は、通風路８内の支柱糸６で減衰されて消音されるので外部には出でにくくなる。
【００２３】
尚、上記実施の形態におけるノートパソコンのように筐体１０の下面１０aに吸気口（図示せず）が形成されていないものでも、筐体の下面から放散される熱は通風隙間形成用シートで嵩上げされた隙間より放散され、放熱性が高く維持される。
また、通風隙間形成用シート１の上面部４及び下面部５を形成する繊維はモノフィラメント若しくはマルチフィラメントに限られず天然繊維で形成することができるのは勿論のこと、支柱糸６の太さも種々変更することができるのはいうまでもないことである。
更に、通気口７の形状についても、６角形に限られず、四角形や三角形、その他の多角形や円形や楕円形にすることができるのはもちろんのことである。
【００２４】
加えて、図３に示すように通風隙間形成用シートの中央部分を切り抜いて、当該切り抜かれた部分をマウスパッド１１の収納部１２に形成することもできる。
このマウスパッド収納部１２の大きさはマウスパッド１１と略同じ大きさか、わずかに小さいものにすると、図４に示すようにマウスパッド収納部１２に収納されたマウスパッド１１は、その周縁部分が支柱糸６の弾性力で確りと保持されるのでずれ動いたりすることとがない。
したがって、例えばノートパソコン２をキャリングケース（図示せず）に収納して携帯する場合に、通風隙間形成用シート１とマウスパッド１１を別々に収納するものに比べて嵩張らず至便なものにできる。
【実施例２】
【００２５】
この実施例にかかる通風隙間形成用シート１は、図５に示すように上面部４と下面部５とを孔開きシート１３で形成するとともに、これら上面部４と下面部５の間に波形シート１５を配設して形成したものである
上記孔開きシート１３並びに波形シート１５は、合成樹脂製フィルムや紙、不織布等にパンチングにより穿孔して形成することもできる。
斯くして形成された本例における通風隙間形成用シート１では上面部４並びに下面部５に形成された孔部分１４が通気口７、波形の空間部分が通風路８となり、その使用上の作用等は上記実施例１と略同様である。
【００２６】
尚、上記各実施例における上面部４及び下面部５を形成する繊維若しくはシートの少なくとも一部に滑り止め部材を設けるようにすることもできる。
例えば、実施例１における上面部及び下面部を形成する繊維をシリコン系樹脂繊維やシリコン系樹脂をコーティングしたものを使用することあるいは、滑り止め部材を貼着する。
また、実施例２では上面部４と下面部５とを孔開きシート１３の少なくとも一方をシリコン系樹脂シートで形成するか、あるいはその一部に滑り止め部材を貼着する。
【００２７】
更に、図示は省略したが、通風隙間形成用シートを連続発泡シートで形成することもできる。
こうした場合、シートの表面に臨む開口部が通気口となり、連続するラビリンス状の発泡空間で通風路が形成されるので、シートに面する吸気口若しくは排気口から漏出する発熱機器の騒音はこの連続発泡で形成されたラビリンス状の通路で減衰させて消音される。
【産業上の利用可能性】
【００２８】
上記各実施例の形態では、ノートパソコンを発熱機器として説明してあるが、こうしたものに限られず、オーバーヘッドプロジェクタ（ＯＨＰ）等、他の発熱機器の通風隙間形成用シートとしてもしようすることができる。
【図面の簡単な説明】
【００２９】
【図１】は本発明にかかる実施例１の通風隙間形成用シートの使用状態の分解斜視図で          ある。
【図２】は本発明にかかる実施例１の通風隙間形成用シートの使用状態の要部拡大断面          図である。
【図３】は本発明にかかる実施例１の通風隙間形成用シートの変形例を示す斜視図である。
【図４】は本発明にかかる実施例１の通風隙間形成用シートの変形例の部分拡大断面図          である。
【図５】は本発明にかかる実施例２の通風隙間形成用シートの斜視図である。
【符号の説明】
【００３０】
１・・・通風隙間形成用シート
２・・・発熱機器（ノートパソコン）
３・・・設置する部分（テーブル面）
４・・・１の上面部
５・・・１の下面部
６・・・支柱糸
７・・・開口部（通気口
８・・・通風路
１２・・・収納部
１５・・・波形シート
【図１】
2007065851.tif 000003
【図２】
2007065851.tif 000004
【図３】
2007065851.tif 000005
【図４】
2007065851.tif 000006
【図５】
2007065851.tif 000007